(57)【特許請求の範囲】
【請求項１】
取り付け対象物に取り付けられるフィルムアンテナ装置であって、
片面に接着面を有するフィルムと、当該フィルムに形成されたアンテナ素子と、を有するフィルムアンテナ部と、
前記フィルムアンテナ部のアンテナ素子に電気的に接続される回路基板部と、
第１及び第２の接着面を有し、当該第１の接着面が前記回路基板部に接着され、当該第２の接着面が前記フィルムアンテナ部の端部に接着される接着部材と、
前記回路基板部、前記接着部材及び前記フィルムアンテナ部の端部を収納するケース部と、を備え、
前記ケース部は、
トップケースと、
前記トップケースに合わせられるボトムケースと、を備え、
前記ボトムケースは、
フィルムアンテナ支持部を有し、
前記フィルムアンテナ支持部は、
前記フィルムアンテナ部を前記接着部材に押し付ける平坦面部を有することを特徴とするフィルムアンテナ装置。
【請求項２】
前記ボトムケースのフィルムアンテナ支持部は、前記フィルムアンテナ部の端部の接着面と前記接着部材の第２の接着面とに接着されることを特徴とする請求項１に記載のフィルムアンテナ装置。
【請求項３】
前記ボトムケースは、前記フィルムアンテナ部を前記取り付け対象物側に案内するフィルムアンテナガイド部を有することを特徴とする請求項１又は２に記載のフィルムアンテナ装置。
【請求項４】
前記トップケースは、前記フィルムアンテナ部を前記取り付け対象物側に押し下げる突起部を有することを特徴とする請求項１から３のいずれか一項に記載のフィルムアンテナ装置。
【請求項５】
前記アンテナ素子は、前記フィルムに接触されていない端部を有し、
前記回路基板部は、前記接着部材に接着されず、前記アンテナ素子が電気的に接続されるアンテナ素子接続部を有し、
前記アンテナ素子の端部と前記アンテナ素子接続部とがはんだ付けにより電気的に接続されていることを特徴とする請求項１から４のいずれか一項に記載のフィルムアンテナ装置。
【請求項６】
前記アンテナ素子は、金属線であることを特徴とする請求項５に記載のフィルムアンテナ装置。
【請求項７】
前記ボトムケースは、前記はんだ付けにより形成されたはんだ部が収まる凹部を有することを特徴とする請求項５又は６に記載のフィルムアンテナ装置。
【発明の詳細な説明】
【技術分野】
【０００１】
本発明は、フィルムにアンテナ素子が形成されたフィルムアンテナ部を有するフィルムアンテナ装置に関する。
【背景技術】
【０００２】
従来、自動車に取り付けてＤＡＢ（Digital Audio Broadcast）等の電波を受信するフィルムアンテナが知られている（例えば、特許文献１参照）。このフィルムアンテナは、フィルムの表面上に所定のパターンのストリップ形状のアンテナ素子が形成されており、アンテナ素子に給電端子が接続されている。このフィルムアンテナが、自動車の窓ガラスの内面に取り付けられて使用される。
【０００３】
また、フィルムアンテナ部と、フィルムアンテナ部により受信した信号を増幅する電子回路を有する回路基板部と、を備えるフィルムアンテナ装置が知られている（例えば、特許文献２参照）。この回路基板は、ケース部に収納される。ケース部は、回路基板部と別体であり、回路基板部に接続されたバネ性の金属の接点端子を有し、接点端子の周りの平面部に両面テープが貼り付けられている。そして、両面テープの剥離紙を剥がして、接点端子をフィルムアンテナ部のアンテナ素子の端子に接触するように、ケース部をフィルムアンテナ部に貼り付けることで、回路基板部がアンテナ素子に電気的に接続される。
【先行技術文献】
【特許文献】
【０００４】
【特許文献１】特開２０００−２９５０２３号公報
【特許文献２】特開２０００−１９６３２７号公報
【発明の概要】
【発明が解決しようとする課題】
【０００５】
しかし、従来のフィルムアンテナ装置は、ケース部をフィルムアンテナ部に接続して製造した後に、経時変化等で両面テープが剥がれることにより、フィルムアンテナ部のアンテナ素子と、回路基板部に接続された接点端子と、が電気的に接触不良となるおそれがあった。
【０００６】
本発明の課題は、フィルムアンテナ部と回路基板部との電気的な接続不良を防ぐことである。
【課題を解決するための手段】
【０００７】
上記課題を解決するために、請求項１に記載の発明は、
取り付け対象物に取り付けられるフィルムアンテナ装置であって、
片面に接着面を有するフィルムと、当該フィルムに形成されたアンテナ素子と、を有するフィルムアンテナ部と、
前記フィルムアンテナ部のアンテナ素子に電気的に接続される回路基板部と、
第１及び第２の接着面を有し、当該第１の接着面が前記回路基板部に接着され、当該第２の接着面が前記フィルムアンテナ部の端部に接着される接着部材と、
前記回路基板部、前記接着部材及び前記フィルムアンテナ部の端部を収納するケース部と、を備え、
前記ケース部は、
トップケースと、
前記トップケースに合わせられるボトムケースと、を備え、
前記ボトムケースは、
フィルムアンテナ支持部を有し、
前記フィルムアンテナ支持部は、
前記フィルムアンテナ部を前記接着部材に押し付ける平坦面部を有することを特徴とする。
【０００８】
請求項２に記載の発明は、請求項１に記載のフィルムアンテナ装置において、
前記ボトムケースのフィルムアンテナ支持部は、前記フィルムアンテナ部の端部の接着面と前記接着部材の第２の接着面とに接着されることを特徴とする。
【０００９】
請求項３に記載の発明は、請求項１又は２に記載のフィルムアンテナ装置において、
前記ボトムケースは、前記フィルムアンテナ部を前記取り付け対象物側に案内するフィルムアンテナガイド部を有することを特徴とする。
【００１０】
請求項４に記載の発明は、請求項１から３のいずれか一項に記載のフィルムアンテナ装置において、
前記トップケースは、前記フィルムアンテナ部を前記取り付け対象物側に押し下げる突起部を有することを特徴とする。
【００１１】
請求項５に記載の発明は、請求項１から３のいずれか一項に記載のフィルムアンテナ装置において、
前記アンテナ素子は、前記フィルムに接触されていない端部を有し、
前記回路基板部は、前記接着部材に接着されず、前記アンテナ素子が電気的に接続されるアンテナ素子接続部を有し、
前記アンテナ素子の端部と前記アンテナ素子接続部とがはんだ付けにより電気的に接続されていることを特徴とする。
【００１２】
請求項６に記載の発明は、請求項５に記載のフィルムアンテナ装置において、
前記アンテナ素子は、金属線であることを特徴とする。
【００１３】
請求項７に記載の発明は、請求項５又は６に記載のフィルムアンテナ装置において、
前記ボトムケースは、前記はんだ付けにより形成されたはんだ部が収まる凹部を有することを特徴とする。
【発明の効果】
【００１４】
本発明によれば、フィルムアンテナ部と回路基板部との電気的な接続不良を防ぐことができる。
【図面の簡単な説明】
【００１５】
【図１】本発明の実施の形態のフィルムアンテナ装置の平面図である。
【図２】上方から見たフィルムアンテナ装置の分解図である。
【図３】下方から見たフィルムアンテナ装置の分解図である。
【図４】フィルムアンテナ部が取り付けられた回路基板部の平面図である。
【図５】フィルムアンテナ装置の一部断面図である。
【発明を実施するための形態】
【００１６】
以下、本発明の実施の形態を図面に基づいて詳細に説明する。但し、本発明は、図示例に限定されるものではない。
【００１７】
図１〜図３を参照して、本実施の形態のフィルムアンテナ装置１の装置構成を説明する。図１は、本実施の形態のフィルムアンテナ装置１の平面図である。図２は、上方から見たフィルムアンテナ装置１の分解図である。図３は、下方から見たフィルムアンテナ装置１の分解図である。
【００１８】
本実施の形態のフィルムアンテナ装置１は、自動車等の移動体の窓（窓ガラス）の内面に取り付けられるアンテナ装置である。フィルムアンテナ装置１は、ＤＡＢの電波を受信するアンテナ装置とする。しかし、これに限定されるものではなく、フィルムアンテナ装置１が、他の通信方式の電波を受信／送信するアンテナ装置としてもよい。
【００１９】
図１に示すように、本実施の形態のフィルムアンテナ装置１は、フィルムアンテナ部１０Ａ，１０Ｂと、ケース部２０と、ケーブル５０と、プルタブ６０Ａ，６０Ｂと、を備える。
【００２０】
フィルムアンテナ部１０Ａ，１０Ｂは、帯状のフィルムアンテナである。フィルムアンテナ部１０Ａは、フィルム１１Ａと、アンテナ素子１２Ａと、を有する。フィルム１１Ａは、帯状のフィルム部材であり、例えば透明の色を有する。フィルム１１Ａが透明の色であることにより、自動車の窓ガラスにフィルムアンテナ部１０Ａを貼った場合にも、乗員の窓ガラスを介する外部の視認の妨げを低減する。また、フィルム１１Ａは、ＰＥＴ（PolyEthylene Terephthalate）材料からなる。また、フィルム１１Ａの窓ガラスへの貼り付け面には、接着剤（粘着剤）が塗布され、その接着剤上に剥離フィルム（図示略）が貼られている。フィルム１１Ａの接着剤の厚さは、例えば、０．０３［ｍｍ］程度にされる。
【００２１】
アンテナ素子１２Ａは、金属線として例えば銅線で構成されている。アンテナ素子１２Ａの銅線の直径は、例えば、０．１ｍｍである。アンテナ素子１２Ａは、例えば、フィルム１１Ａの片方の表面に埋め込まれる状態で製造される。フィルム１１Ａからのアンテナ素子１２Ａの出っ張りは、例えば、０．０３〜０．０７［ｍｍ］とされる。アンテナ素子１２Ａが埋め込まれたフィルム１１Ａの面と逆の平坦な面が、窓ガラスへの貼り付け面へ貼り付けられる。というのは、窓ガラスへのフィルムアンテナ部１０Ａの貼り付け時に、アンテナ素子１２Ａの出っ張り部分による気泡を防ぐためである。また、アンテナ素子１２Ａは、フィルム１１Ａに接触されていない端部１２Ａ１を有する。また、アンテナ素子１２Ａは、端部１２Ａ１を除き、エナメル等の絶縁体でコーティングされている。
【００２２】
フィルムアンテナ部１０Ｂは、フィルム１１Ｂと、アンテナ素子１２Ｂと、を有する。また、アンテナ素子１２Ｂは、端部１２Ｂ１を有する。フィルムアンテナ部１０Ｂの構成は、フィルムアンテナ部１０Ａと同様である。フィルムアンテナ部１０Ａ，１０Ｂは、ケース部２０を中心として、アンテナ素子１２Ａ，１２Ｂの長手方向が一直線に並ぶように配置されている。
【００２３】
ケース部２０は、樹脂からなる成型品のケースであり、例えば角がＲ形状の略直方体の形状を有する。ケース部２０は、フィルムアンテナ部１０Ａ，１０Ｂの端部と、後述する回路基板部３０及び接着部材４０と、ケーブル５０の一端と、を収納する。
【００２４】
ケーブル５０は、同軸ケーブルである。ケーブル５０は、一端がケース部２０内の回路基板部３０に接続され、他端にコネクタ５１が接続されている。ケーブル５０は、コネクタ５１を介して、ＤＡＢの受信機等に接続される。
【００２５】
プルタブ６０Ａ，６０Ｂは、フィルムアンテナ部１０Ａ，１０Ｂの接着面に貼られた剥離フィルム（図示略）を剥がすための部材であり、剥離フィルムに強く接着されている。
【００２６】
次いで、図２及び図３を参照して、ケース部２０の内部構成を説明する。図２及び図３に示すように、ケース部２０は、回路基板部３０、接着部材４０、ケーブル５０の一端と、フィルムアンテナ部１０Ａ，１０Ｂの端部１３Ａ，１３Ｂと、を収納する。フィルムアンテナ部１０Ａのうち、ケース部２０に収納される端部分を端部１３Ａとする。また、フィルムアンテナ部１０Ｂのうち、ケース部２０に収納される端部分を端部１３Ｂとする。
【００２７】
ケース部２０は、トップケース２０ａと、ボトムケース２０ｂと、雄螺子２０ｃと、を有する。
【００２８】
トップケース２０ａは、ケース部２０の上側（自動車の窓ガラス側と逆側）のケース（カバー）である。トップケース２０ａは、カバー本体部２１ａと、突起部２２ａと、雌螺子部２３ａと、ケーブル支持部２４ａと、リブ２５ａと、を有する。
【００２９】
カバー本体部２１ａは、トップケース２０ａの本体であり、底部があけられた略直方体の形状を有する。突起部２２ａは、トップケース２０ａの対向する２つの側面部に設けられ、フィルムアンテナ部１０Ａ，１０Ｂを下側に押え付ける機能を有する。雌螺子部２３ａは、トップケース２０ａの内側に設けられ、雄螺子２０ｃが螺合される。
【００３０】
ケーブル支持部２４ａは、トップケース２０ａの１つの側面部に設けられ、ケーブル支持部２４ｂとともにケーブル５０を挟み込んで支持する。リブ２５ａは、トップケース２０ａの内側に設けられ、回路基板部３０の高さを位置決めして支持する。
【００３１】
ボトムケース２０ｂは、ケース部２０の下側（自動車の窓ガラス側）のケース（カバー）であり、トップケース２０ａに合わせられる。ボトムケース２０ｂは、カバー本体部２１ｂと、フィルムアンテナガイド部２２ｂと、孔部２３ｂと、ケーブル支持部２４ｂと、フィルムアンテナ支持部２５ｂと、凹部２６ｂと、を有する。
【００３２】
カバー本体部２１ｂは、ボトムケース２０ｂの本体である。フィルムアンテナガイド部２２ｂは、突起部２２ａに対応する位置に設けられ、フィルムアンテナ部１０Ａ，１０Ｂをフィルムアンテナ支持部２５ｂから緩やかに下側へ案内するカーブ形状を有する。孔部２３ｂは、カバー本体部２１ｂにあけられた雄螺子２０ｃ用の貫通孔である。
【００３３】
ケーブル支持部２４ｂは、ボトムケース２０ｂの１つの側面部に設けられ、ケーブル支持部２４ａとともにケーブル５０を挟み込んで支持する。フィルムアンテナ支持部２５ｂは、接着部材４０に対応する位置に配置された平坦面部であり、フィルムアンテナ部１０Ａ，１０Ｂの端部１３Ａ，１３Ｂを接着部材４０に押し付ける機能を有する。つまり、フィルムアンテナ部１０Ａ，１０Ｂの端部１３Ａ，１３Ｂが、接着部材４０及びフィルムアンテナ支持部２５ｂに挟み込まれて固定される。フィルムアンテナ支持部２５ｂは、平坦面部２５ｄ，２５ｅを有する。平坦面部２５ｄは、接着部材４０が接着される平坦面部である。平坦面部２５ｅは、フィルムアンテナ部１０Ａ，１０Ｂの端部１３Ａ又は１３Ｂが接着される平坦面部であり、端部１３Ａ，１３Ｂを接着部材４０に押し付ける。
【００３４】
凹部２６ｂは、フィルムアンテナ部１０Ａ，１０Ｂのアンテナ素子１２Ａ，１２Ｂの端部１２Ａ１，１２Ｂ１を回路基板部３０にはんだ付けした後述するはんだ部６０の凸部が収まる凹部である。
【００３５】
回路基板部３０は、フィルムアンテナ部１０Ａ，１０Ｂのアンテナ素子１２Ａ，１２Ｂに電気的に接続される回路基板であり、フィルムアンテナ部１０Ａ，１０Ｂで受信した信号を増幅してケーブル５０に出力する増幅回路等の電子回路を有する基板である。回路基板部３０は、基板本体３１と、孔部３２と、接着部材実装部３３と、アンテナ素子接続部３４と、を有する。
【００３６】
基板本体３１は、電子回路部品及び線路パターンを有するＰＷＢ（Printed Wiring Board）である。孔部３２は、基板本体３１にあけられた雄螺子２０ｃ用の貫通孔である。接着部材実装部３３は、接着部材４０を接着により実装する平坦面部である。接着部材実装部３３は、平坦面部３３ａ，３３ｂを有する。平坦面部３３ａは、接着部材４０が接着され、平坦面部２５ｄに対応する位置に配置されている。平坦面部３３ｂは、接着部材４０が接着され、平坦面部２５ｅに対応する位置に配置されている。アンテナ素子接続部３４は、基板本体３１の回路素子に接続された導電部を有し、接着部材４０が接着されず、端部１２Ａ１，１２Ｂ１がはんだ付けされることによりアンテナ素子１２Ａ，１２Ｂと基板本体３１とを電気的に接続する。
【００３７】
接着部材４０は、フィルムアンテナ部１０Ａ，１０Ｂの端部を回路基板部３０に接着する両面テープ等の接着部材である。接着部材４０は、フィルムアンテナ接着部４１と、孔部４２と、を有する。フィルムアンテナ接着部４１は、接着部材４０の本体であり、基体の両面に接着剤（粘着剤）が塗布された両面テープ等の接着部材である。この基体は、例えば、縦横強度差が少ない不織布からなる。この基体の厚さは、例えば、０．１〜０．１５［ｍｍ］にされる。接着部材４０は、片方の接着面が接着部材実装部３３に接着され、もう片方の接着面がフィルムアンテナ部１０Ａ，１０Ｂの端部１３Ａ，１３Ｂ及びフィルムアンテナ支持部２５ｂに接着される。
【００３８】
孔部４２は、フィルムアンテナ接着部４１にあけられ、フィルムアンテナ部１０Ａ，１０Ｂのアンテナ素子１２Ａ，１２Ｂの端部１２Ａ１，１２Ｂ１を回路基板部３０のアンテナ素子接続部３４にはんだ付けするための孔部である。孔部４２は、アンテナ素子接続部３４に対応する位置に配置されている。接着部材４０は、あまり弾力が無い方が好ましい。また、接着部材４０の接着力は、例えば、１０Ｎ／２０ｍｍ以上とされる。
【００３９】
次に、図４及び図５を参照して、フィルムアンテナ装置１の製造方法を説明する。図４は、フィルムアンテナ部１０Ａ，１０Ｂが取り付けられた回路基板部３０の平面図である。図５は、フィルムアンテナ装置１の一部断面図である。
【００４０】
図４に示すように、ケーブル５０の内部導体及び外部導体がはんだ付けされて電気的に接続された回路基板部３０において、接着部材実装部３３に接着部材４０の片方の接着面が接着される。そして、フィルムアンテナ部１０Ａ，１０Ｂは、アンテナ素子１２Ａ，１２Ｂの端部１２Ａ１，１２Ｂ１が２つの孔部４２に位置するように配置されて、端部１３Ａ，１３Ｂが接着部材４０のもう片方の接着面に接着される。そして、アンテナ素子１２Ａ，１２Ｂの端部１２Ａ１，１２Ｂ１が孔部４２を介して、アンテナ素子接続部３４にはんだ付けされ凸状のはんだ部６０が形成される。
【００４１】
なお、従来のフィルムアンテナ装置において、ケース部の接点端子とフィルムアンテナ部のアンテナ素子の端子とをはんだ付けすることができなかった。というのは、フィルムが、ＰＥＴ材料からなり、アンテナ素子が、銀ペーストからなるため、ケース部の接点端子とアンテナ素子の端子とをはんだ付けしようとすると、フィルムが溶けてしまうからである。フィルムアンテナ装置１では、端部１２Ａ１，１２Ｂ１がフィルム１１Ａ，１１Ｂに接触していないため、はんだ付けが可能である。
【００４２】
そして、はんだ部６０が凹部２６ｂに配置され、フィルムアンテナ部１０Ａ，１０Ｂの端部１３Ａ，１３Ｂがフィルムアンテナガイド部２２ｂ及びフィルムアンテナ支持部２５ｂに配置される。接着部材４０のうち、平坦面部３３ａに対応する位置で露出した接着面４０ａが平坦面部２５ｄに接着され、フィルムアンテナ部１０Ａ，１０Ｂのフィルム１１Ａ，１１Ｂの端部１３Ａ，１３Ｂの接着面が、平坦面部２５ｅ及びフィルムアンテナガイド部２２ｂに接着されることにより、フィルムアンテナ部１０Ａ，１０Ｂが取り付けられた回路基板部３０がボトムケース２０ｂに接着される。
【００４３】
そして、ボトムケース２０ｂにトップケース２０ａが合わせられ、雄螺子２０ｃが孔部２３ｂ，３２を介して雌螺子部２３ａに螺合される。この螺合に応じて、フィルムアンテナ部１０Ａ，１０Ｂは、はんだ部６０によるはんだ付けと、接着部材４０による接着と、フィルムアンテナ支持部２５ｂによる接着部材４０への押し付けとにより、回路基板部３０及びケース部２０に強く固定される。このため、フィルムアンテナ部１０Ａ，１０Ｂは、貼り付け、取り扱い等による引っ張り機械的ストレスが発生しても、回路基板部３０及びケース部２０から抜けない構造となる。
【００４４】
そして、図５に示すように、ボトムケース２０ｂのカバー本体部２１ｂの下側に接着部材７０が貼り付けられる。接着部材７０は、両面テープ等の接着部材である。
【００４５】
フィルムアンテナ装置１を取り付け対象物としての自動車の窓ガラス８０に取り付ける場合には、接着部材７０が窓ガラス８０に接着されるとともに、フィルムアンテナ部１０Ａ，１０Ｂの剥離フィルムが剥がされてその接着面が窓ガラス８０に接着される。
【００４６】
フィルムアンテナ部１０Ａ，１０Ｂは、フィルムアンテナガイド部２２ｂにより窓ガラス８０側（下側）に案内され、さらに突起部２２ａにより、窓ガラス８０側に強制的に押し下げられる。
【００４７】
以上、本実施の形態によれば、フィルムアンテナ装置１において、接着部材４０の片方の接着面が回路基板部３０に接着され、もう一方の接着面がフィルムアンテナ部１０Ａ，１０Ｂの端部１３Ａ，１３Ｂに接着され、ボトムケース２０ｂが、フィルムアンテナ部１０Ａ，１０Ｂの接着面と接着部材４０の窓ガラス８０側の接着面とに接着され、フィルムアンテナ部１０Ａ，１０Ｂを接着部材４０に押し付けるフィルムアンテナ支持部２５ｂを有する。このため、フィルムアンテナ部１０Ａ，１０Ｂが、接着部材４０による接着と、フィルムアンテナ支持部２５ｂによる押し付けとにより、回路基板部３０及びケース部２０に強く固定され、フィルムアンテナ部１０Ａ，１０Ｂと回路基板部３０との電気的な接続不良を防ぐことができる。さらに、フィルムアンテナ部１０Ａ，１０Ｂと回路基板部３０とを一体型にでき、フィルムアンテナ部１０Ａ，１０Ｂの給電部分を注意して合わせる作業の必要が無いので、フィルムアンテナ装置１を窓ガラス８０に容易に取り付けることができる。
【００４８】
また、ボトムケース２０ｂのフィルムアンテナ支持部２５ｂは、平坦面部２５ｅでフィルムアンテナ部１０Ａ，１０Ｂの接着面に接着され、平坦面部２５ｄで接着部材４０の窓ガラス８０側の接着面に接着される。このため、フィルムアンテナ部１０Ａ，１０Ｂをボトムケース２０ｂ及び接着部材４０に強く固定できる。
【００４９】
また、ボトムケース２０ｂは、フィルムアンテナ部１０Ａ，１０Ｂを窓ガラス８０側に案内するフィルムアンテナガイド部２２ｂを有する。このため、フィルムアンテナ部１０Ａ，１０Ｂを容易に窓ガラス８０側に案内でき、窓ガラス８０からのフィルムアンテナ部１０Ａ，１０Ｂの浮きが発生してその狭間にごみ等がたまることを防ぐことができ、フィルムアンテナ部１０Ａ，１０Ｂが窓ガラス８０から剥離されることを防ぐことができる。
【００５０】
また、トップケース２０ａは、フィルムアンテナ部１０Ａ，１０Ｂを窓ガラス８０側に押し下げる突起部２２ａを有する。このため、フィルムアンテナ部１０Ａ，１０Ｂを容易に窓ガラス８０側に押し下げることができ、窓ガラス８０からのフィルムアンテナ部１０Ａ，１０Ｂの浮きが発生してその狭間にごみ等がたまることを防ぐことができ、フィルムアンテナ部１０Ａ，１０Ｂが窓ガラス８０から剥離されることを防ぐことができる。
【００５１】
また、アンテナ素子１２Ａ，１２Ｂが、フィルム１１Ａ，１１Ｂに接触されていない端部１２Ａ１，１２Ｂ１を有し、端部１２Ａ１，１２Ｂ１と回路基板部３０のアンテナ素子接続部３４とがはんだ付けにより電気的に接続されている。このため、フィルムアンテナ部１０Ａ，１０Ｂと回路基板部３０との電気的な接続不良をさらに防ぐことができる。
【００５２】
また、アンテナ素子１２Ａ，１２Ｂは、銅線である。このため、アンテナ素子１２Ａ，１２Ｂフィルム１１Ａ，１１Ｂに接触されていない端部１２Ａ１，１２Ｂ１を容易に露出してはんだ付けできる。
【００５３】
また、ボトムケース２０ｂは、はんだ部６０が収まる凹部２６ｂを有する。このため、フィルムアンテナ部１０Ａ，１０Ｂをはんだ付けした回路基板部３０をケース部２０のフィルムアンテナ支持部２５ｂに強く接着できる。
【００５４】
以上、本発明者によってなされた発明を実施の形態に基づいて具体的に説明したが、本発明は上記実施の形態に限定されるものではなく、その要旨を逸脱しない範囲で変更可能である。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５６】
１  フィルムアンテナ装置
１０Ａ、１０Ｂ  フィルムアンテナ部
１１Ａ，１１Ｂ  フィルム
１２Ａ，１２Ｂ  アンテナ素子
１２Ａ１，１２Ｂ１  端部
１３Ａ，１３Ｂ  端部
２０  ケース部
２０ａ  トップケース
２１ａ  カバー本体部
２２ａ  突起部
２３ａ  雌螺子部
２４ａ  ケーブル支持部
２５ａ  リブ
２０ｂ  ボトムケース
２１ｂ  カバー本体部
２２ｂ  フィルムアンテナガイド部
２３ｂ  孔部
２４ｂ  ケーブル支持部
２５ｂ  フィルムアンテナ支持部
２５ｄ，２５ｅ  平坦面部
２６ｂ  凹部
２０ｃ  雄螺子
３０  回路基板部
３１  基板本体
３２  孔部
３３  接着部材実装部
３３ａ，３３ｂ  平坦面部
３４  アンテナ素子接続部
４０  接着部材
４０ａ  接着面
４１  フィルムアンテナ接着部
４２  孔部
５０  ケーブル
５１  コネクタ
６０Ａ，６０Ｂ  プルタブ
７０  接着部材
８０  窓ガラス
【図１】
0005929314.tif 000002
【図２】
0005929314.tif 000003
【図３】
0005929314.tif 000004
【図４】
0005929314.tif 000005
【図５】
0005929314.tif 000006